(57)【要約】【課題】  穿孔して得られた切片を確実にセンタードリルに留置し、穿孔完了後のカッターの撤去時に切片をドリルと共に取り出す。【解決手段】  円筒管に所望口径の切片を切り出して穿孔を行うホルソ状の外周カッターと、該外周カッターの中心軸上に共回り可能に固定される回転軸を介して、先端に前記外周カッター先端から突出する貫通刃を設けたセンタードリルと、該センタードリルの前記回転軸に枢支されるスリーブとからなり、該スリーブは前記貫通刃側の端部外周に前記貫通刃による貫通孔よりも大径の切片保持用リブを突設すると共に、該リブを前記貫通孔に挿入可能に弾性的に縮径させてなる。スリーブは、軸方向にスリットを設ける。スリットをスリーブ先端側に複数設けるか、スリーブの全長にわたって設ける。リブの先端側に貫通孔への挿入勾配を設けたり、リブの後端側に貫通孔からの抜け勾配を設ける。【選択図】          図１
2006247811.tif 000002
【特許請求の範囲】
【請求項１】
円筒管に所望口径の切片を切り出して穿孔を行うホルソ状の外周カッターと、該外周カッターの中心軸上に共回り可能に固定される回転軸を介して、先端に前記外周カッター先端から突出する貫通刃を設けたセンタードリルと、該センタードリルの前記回転軸に枢支されるスリーブとからなり、該スリーブは前記貫通刃側の端部外周に前記貫通刃による貫通孔よりも大径の切片保持用リブを突設すると共に、該リブを前記貫通孔に挿入可能に弾性的に縮径させてなる水道配管の穿孔カッター。
【請求項２】
スリーブは、軸方向にスリットを設けたものである請求項１に記載した水道配管の穿孔カッター。
【請求項３】
スリットをスリーブ先端側に複数設けた請求項２に記載した水道配管の穿孔カッター。
【請求項４】
スリットをスリーブの全長にわたって設けた請求項２に記載した水道配管の穿孔カッター。
【請求項５】
リブの先端側に貫通孔への挿入勾配を設けてなる請求項１から４のうち何れか一項に記載した水道配管の穿孔カッター。
【請求項６】
リブの後端側に貫通孔からの抜け勾配を設けてなる請求項１から５のうち何れか一項に記載した水道配管の穿孔カッター。
【発明の詳細な説明】
【技術分野】
【０００１】
本発明は、配管分岐工事等において水道配管に穿孔する場合に用いるカッターに係り、より詳しくは切り取った配管切片をカッターの撤去と共に回収する構成に関するものである。
【背景技術】
【０００２】
従来から、水道配管に分岐管を設けている場合、老朽化した分岐管を撤去して新たな分岐管を設置する場合には、本管に対して大き目の穿孔を行って分岐管を取り去るという技術は公知である。そして、その場合に用いる穿孔カッター（穿孔用ホルソ）も複数の構成が公知である。
【０００３】
ところで、水道配管の分岐工事は一般的に不断水の状態で施工されるが、通水状態で配管に分岐口を穿孔するためには、ドリルが使用される。しかし、施工によって水道配管内に切粉が混入することを避ける必要があるために、ホルソタイプのカッターが採用されることが多い（例えば、特許文献１を参照）。
【０００４】
【特許文献１】特開２００２−３６４７９４号公報
【発明の開示】
【発明が解決しようとする課題】
【０００５】
ところで、従来からホルソで切断された管の切片は穿孔完了後に配管の外部へ取り出されて回収される構成が採用されているものが多い。一例として、ホルソの中心にセンタードリルを設け、このセンタードリルに切片を何らかの手段によって係止して留置するものがあるが、切片を係止させる手段が確実ではなく、穿孔した後に切片が脱落するという不都合を確実に回避できるものは少なく、信頼性に欠けるものであった。
【０００６】
本発明は、上記従来の課題を解決するもので、ホルソタイプの穿孔カッターにおいて、穿孔して得られた切片を確実にセンタードリルに留置し、穿孔完了後のカッターの撤去時に切片をドリルと共に取り出すことができる構成を開示することを目的とするものである。
【課題を解決するための手段】
【０００７】
上記目的を達成するために本発明では、円筒管に所望口径の切片を切り出して穿孔を行うホルソ状の外周カッターと、該外周カッターの中心軸上に共回り可能に固定される回転軸を介して、先端に前記外周カッター先端から突出する貫通刃を設けたセンタードリルと、該センタードリルの前記回転軸に枢支されるスリーブとからなり、該スリーブは前記貫通刃側の端部外周に前記貫通刃による貫通孔よりも大径の切片保持用リブを突設すると共に、該リブを前記貫通孔に挿入可能に弾性的に縮径させるという手段を用いた。当該手段において、外周カッターの主軸を回転させればセンタードリルも共回りして回転し、外周カッターに先行して配管に貫通孔を形成すると共に、貫通孔形成後に外周カッターによる配管の分岐口等の穿孔が行われる。外周カッターによる穿孔時に、センタードリルに枢支されたスリーブは、その先端リブが貫通孔に進入し始める。このときリブは弾性的に縮径し、貫通孔に挿入する。外周カッターによる穿孔完了時点で、リブは貫通孔を通過し、弾発的に元の径に復元することによって、配管内部から貫通孔に係止する。その後、本発明カッターを撤去することによって、外周カッターによって切り出された切片をリブに係止させた状態で回収することができる。なお、スリーブの弾性的縮径を実現する構成としては、スリーブの軸方向にスリットを設けるという手段を用いる（請求項２）。スリットの幅に見合った径だけ、スリーブを縮径させることができる。スリットの態様については、２つの具体的手段が想定される。そのひとつはスリーブの先端側（リブ側）を割裂するように複数のスリットを形成するものである（請求項３）。他のひとつは１本のスリットをスリーブの全長に亘って設けるものである（請求項４）。
【０００８】
請求項５では、リブの先端側に貫通孔への挿入勾配を設けるという手段を選択的に用いることとした。勾配によってリブを徐々に縮径させ、貫通孔に円滑に挿入させるためである。
【０００９】
ところで、回収した切片を本発明カッターから取り外すには、二通りの方法がある。その一つは、センタードリルを外周カッターから取り外し、切片を回転軸の貫通刃とは反対側から抜き取る方法である。他の一つは、リブを再度縮径させて、切片をセンタードリルの貫通刃側から抜き取る方法である。特に後者であれば、本発明カッターを分解することなく切片を取り外すことができて能率的である。そこで本発明では、リブの後端側に貫通孔からの抜け勾配を設けるという手段をも選択的に用いる（請求項６）。
【発明の効果】
【００１０】
以上説明した本発明によれば、ホルソ状の外周カッターにセンタードリルを設けた穿孔カッターにおいて、センタードリルにスリットにより弾性的に縮径するリブを備えたスリーブを枢支してなるため、外周カッターによる穿孔完了と同時に、センタードリルにより形成される貫通孔にリブが係止し、カッターの撤去と共にリブに係止させた状態で切片を確実に回収することができる。従って、穿孔作業での切片回収能率が飛躍的に向上すると共に、スリーブの耐用回数も飛躍的に向上するから、ランニングコストの低減と水道水の安全性確保を同時に満たすことができた。また、リブの先端側に貫通孔への挿入勾配を設けることによって、リブの貫通孔に対する挿入が円滑に行われるから、過負荷がないまま穿孔作業を進めることができる。さらに、リブの後端側に貫通孔からの抜け勾配を設けることによって、本発明カッターを分解することなく切片をリブから取り外すことができるため、回収後の作業も極めて簡単となる。
【発明を実施するための最良の形態】
【００１１】
以下、本発明の好ましい実施の形態を添付した図面に従って説明する。図１は、本発明の第一実施形態に係る水道配管の穿孔カッターの半断面図であって、図中、１は穿孔刃１ａを備えたホルソ型の外周カッター、２は外周カッター１の中心軸上に取付けられたセンタードリル、３はセンタードリル２の回転軸２ａに枢支されたスリーブである。外周カッター１は主軸１ｂを適当な回転工具に取付けることによって回転駆動され、配管に分岐口等の穿孔を行う。センタードリル２はアタッチメント２ｂにより回転軸２ａを着脱可能に外周カッター１に取付けられ、外周カッター１の回転駆動と連動して共回りする。外周カッター１との取付構造として着脱自在なアタッチメント２ｂを採用した利点は、穿孔口径がことなる数種の外周カッターにセンタードリルを汎用的に取付けることができるところにある。また、センタードリル２の回転軸２ａの先端には、外周カッター１の穿孔刃１ａから突出して貫通刃２ｃが備えられ、外周カッター１による穿孔に先行して配管に貫通孔を形成するように構成されている。
【００１２】
スリーブ３は、図２に示したように、センタードリル２の回転軸２ａに枢支可能な円筒状本体３ａの貫通刃側の端部外周にリブ３ｂを突設すると共に、軸方向に前記端部を弾性的に縮径可能とするスリット３ｃを設けてなる。この実施形態においてスリット３ｃは、スリーブ３の先端側（リブ３ｂ側）から所定範囲の長さで、対峙状に２本設けられている。ただし、スリット３ｃの数はこれに限定されない。
【００１３】
より詳細な構造を図３に従って説明すると、スリーブ３は円筒状本体３ａの内径をセンタードリル２の回転軸２ａの外形よりも若干大径にして、両者３ａ・２ａにクリアランスＣを設けた状態で枢支している。その理由は、スリーブ３とセンタードリル２との縁を切ることにより、後述する穿孔作業において、センタードリル２による貫通孔の形成後に、スリーブ３が共回りしないようにして、リブ３ｂに係止された切片を確実に保持するためである。
【００１４】
さらに、この実施形態では、リブ３ｂはセンタードリル２の貫通刃２ｃの外形よりも大径に設定され、なおかつ、リブ３ｂの先端側３ｄは下から上に向けて徐々に径が大きく設定して貫通孔への挿入勾配を形成する一方、逆に後端側３ｅは下から上に向けて徐々に径が小さくなるように設定して貫通孔からの抜き勾配を形成してる。
【００１５】
上記構成の穿孔カッターによれば、図４に示したように、外周カッター１の内径に見合った径の円形切片が切り出されるが、その過程で先ずセンタードリル２が配管に貫通孔を形成し、且つ、切片の切り出し完了時、即ち外周カッター１による穿孔完了時点で、スリーブ３のリブ３ｂが縮径して貫通孔に進入し、さらに挿入完了後にリブ３ｂが元の径に弾性的に復元するから、スリーブ３に挿通された切片の脱落が確実に防止される。
【００１６】
なお、リブ３ｂを脱落防止部としてスリーブ３に挿通された切片をスリーブ３から取り外すには、センタードリル２を外周カッター１から取り外して、回転軸２ａのアタッチメント２ｂ側から切片を抜き取る方法以外、この実施形態では、リブ３ｂの後端側３ｅに抜け勾配を設けると共に、外周カッター１の切欠にドライバーＤなどの取出し工具が挿入可能な深溝を設けており、ドライバーなどを深溝から挿入し、切片を下方に押出すことによって、センタードリル２を取り外さなくとも、リブ３ｂを縮径させつつ抜け勾配を利用して、切片をセンタードリル２の貫通刃２ｃ側から抜き取ることができる。
【００１７】
なお、図５は、リブ３ｂの変形例を示したものであり、上記実施形態との違いを明確に示したものである。即ち、この変形例においては、リブ３ｂの先端側３ｄには上記実施形態と同様に貫通孔への挿入勾配を設ける一方、後端側３ｅの抜け勾配は省略している。つまり、この変形例においては切片をセンタードリル２の貫通刃２ｃ側から抜き取ることができない代わりに、切片の保持機能を高めている。
【００１８】
また、図６は、スリット３ｃの他の例を示したものであり、上記実施形態では２本（複数）を所定範囲に形成したのに対して、この例では１本のスリット３ｃをスリーブ３の全長に亘って設けたものである。
【図面の簡単な説明】
【００１９】
【図１】本発明の第一実施形態に係る穿孔カッターの半断面図
【図２】同実施形態におけるスリーブの斜視図
【図３】スリーブの詳細とセンタードリルの関係を示した要部拡大図
【図４】スリーブと切片の関係を示した穿孔カッターの半断面図
【図５】リブの変形例を示した要部説明図
【図６】スリットの他の例に係るスリーブの斜視図
【符号の説明】
【００２０】
１  外周カッター
２  センタードリル
３  スリーブ
３ｂ  リブ
３ｃ  スリット
【図１】
2006247811.tif 000003
【図２】
2006247811.tif 000004
【図３】
2006247811.tif 000005
【図４】
2006247811.tif 000006
【図５】
2006247811.tif 000007
【図６】
2006247811.tif 000008